(57)【要約】【課題】簡単な構造で、釘やビスを使用せずとも取付けが可能で、また瓦の取り替えも極めて容易である瓦用耐風金具を提供する。【解決手段】瓦尻引掛部２２の厚さと略同等の連結部２と該連結部２の両側に立設した内側保持部３と外側保持部４とからなる凹形状係止部Ａに、瓦桟木２３の巾と略同等の連結部７と該連結部７の両側から下方に垂設した挟着部８ａ、８ｂ（８ｂは内側保持部３と兼用）とからなる逆凹形状固定部からなる金具固定部Ｂとからなり、金具固定部Ｂを瓦桟木２３に冠着・固定し、凹形状係止部Ａに瓦尻引掛部２２を嵌着・係止して瓦２１を係止する。【選択図】図５
2005325520.tif 000002
【特許請求の範囲】
【請求項１】
瓦尻引掛部を係止するための係止部を備えたことを特徴とする瓦用耐風金具。
【請求項２】
係止部が、瓦尻引掛部の厚さと略同等の連結部と該連結部の両側に立設した瓦尻引掛部の内側保持部と外側保持部とからなる凹形状係止部である請求項１記載の瓦用耐風金具。
【請求項３】
凹形状係止部の内側保持部の表面を波形状とした請求項２記載の瓦用耐風金具。
【請求項４】
係止部に金具固定部を連設した請求項１〜３のいずれか１項に記載の瓦用耐風金具。
【請求項５】
金具固定部が瓦桟木固定部である請求項４記載の瓦用耐風金具。
【請求項６】
瓦桟木固定部が瓦桟木の巾と略同等の連結部と該連結部の両側から垂設した挟着部とからなる逆凹形状固定部である請求項５記載の瓦用耐風金具。
【請求項７】
逆凹形状固定部の少なくとも１つの挟着部の内側表面を波形状とした請求項５記載の瓦用耐風金具。
【請求項８】
係止部が瓦尻引掛部に設けたスリットへの挿入部である請求項１記載の瓦用耐風金具。
【請求項９】
挿入部の少なくとも１つの面を波形状とした請求項８記載の瓦用耐風金具。
【請求項１０】
押出成形により得られる請求項１〜９のいずれか１項に記載の瓦用耐風金具。
【発明の詳細な説明】
【技術分野】
【０００１】
本発明は瓦用耐風金具に関し、更に詳しくは、極めて簡単な構造からなり、取付けが容易で、瓦の取り替えや葺き替えも容易な瓦用耐風金具に関する。
【背景技術】
【０００２】
従来、台風等の強風に対して、瓦の飛散防止のため、瓦を全数釘やビスで止着するとともに、瓦の浮き上がりを防ぐため、瓦のウォーターチャンネルの先端付近を釘、ビス、クリップ等の金物で固定している場合が多い。
【０００３】
しかしながら、このような仕様の場合においては、釘やビス止めに手間が掛かり作業性が悪いばかりでなく、例えば瓦が割れた場合や、瓦を葺きかえる場合、瓦の撤去に手間取るという問題を含んでいる。また、部分的な補修の場合、新たな瓦は釘やビス等では固定できず、接着剤で固定しているため、再度割れた場合には撤去が困難であるばかりでなく、接着剤の耐久性にも問題がある。
【０００４】
一方、薄板を桟瓦の厚みに合わせて段差部を設け、該段差部の上下をそれぞれ別方向に直角に曲げて、上面係止部と下面係止部を設け、前記下面係止部の左右いずれかの片側を上方に直角に曲げて片側面係止部を設け、桟瓦の合わせ角切欠部に着脱自在に装着してなることを特徴とする桟瓦用耐風金具が提案されている（例えば、特許文献１参照）。
【０００５】
また、瓦桟と該瓦桟の上に載置された瓦の尻端部とを把持することにより該瓦桟に該瓦を係止させる瓦把持部を備えた瓦止用金具が提案されている（例えば、特許文献２参照）。
【特許文献１】実用新案登録第３０３９６０１号公報（図１、図４、図５）
【特許文献２】特開２００１−３２３６０３号公報（図２、図３、図５）
【発明の開示】
【発明が解決しようとする課題】
【０００６】
しかしながら、上記の金具はいずれも構造が複雑で、板金の加工により製造せざるを得ないため、時間と労力を要し、いきおい高価とならざるを得ず、また施工も容易であるとは言い難い。
【０００７】
本発明はかかる実情に鑑み、上記従来技術の問題点を解消し、極めて簡単な構造からなり、取り付けが可能で、瓦の取り替えや葺き替えも容易で、しかも押出成形により製造も可能である、安価な瓦用耐風金具を提供するものである。
【課題を解決するための手段】
【０００８】
本発明は上記目的を達成するためになされたもので、本発明の請求項１は、瓦尻引掛部を係止するための係止部を備えたことを特徴とする瓦用耐風金具を内容とする。
【０００９】
本発明の請求項２は、係止部が、瓦尻引掛部の厚さと略同等の連結部と該連結部の両側に立設した瓦尻引掛部の内側保持部と外側保持部とからなる凹形状係止部である請求項１記載の瓦用耐風金具を内容とする。
【００１０】
本発明の請求項３は、凹形状係止部の内側保持部の表面を波形状とした請求項２記載の瓦用耐風金具を内容とする。
【００１１】
本発明の請求項４は、係止部に金具固定部を連設した請求項１〜３のいずれか１項に記載の瓦用耐風金具を内容とする。
【００１２】
本発明の請求項５は、金具固定部が瓦桟木固定部である請求項４記載の瓦用耐風金具を内容とする。
【００１３】
本発明の請求項６は、瓦桟木固定部が瓦桟木の巾と略同等の連結部と該連結部の両側から垂設した挟着部とからなる逆凹形状固定部である請求項５記載の瓦用耐風金具を内容とする。
【００１４】
本発明の請求項７は、逆凹形状固定部の少なくとも１つの挟着部の内側表面を波形状とした請求項５記載の瓦用耐風金具を内容とする。
【００１５】
本発明の請求項８は、係止部が瓦尻引掛部に設けたスリットへの挿入部である請求項１記載の瓦用耐風金具を内容とする。
【００１６】
本発明の請求項９は、挿入部の少なくとも１つの面を波形状とした請求項８記載の瓦用耐風金具を内容とする。
【００１７】
本発明の請求項１０は、押出成形により得られる請求項１〜９のいずれか１項に記載の瓦用耐風金具を内容とする。
【発明の効果】
【００１８】
本発明の瓦用耐風金具は、瓦尻引掛部を係止するための係止部を備えたことを特徴とし、例えば、凹形状係止部からなる場合は該凹形状係止部内に瓦尻引掛部を嵌着・係止し、また、瓦尻引掛部に設けたスリットへの挿入部からなる場合は、該スリットに挿入部を挿入して瓦尻引掛部を係止すればよいから、極めて容易に取り付けが可能であるとともに、優れた耐風効果を発揮し、更には、瓦の取り替えや葺き替えも容易である。
【００１９】
係止部が凹形状係止部からなる場合は、該凹形状係止部の内側保持部の表面を波形状とすることにより、スプリング効果と摩擦により抜け止め効果が発揮され、瓦尻引掛部が強固に係止される。
また、係止部が瓦尻引掛部に設けたスリットへの挿入部からなる場合も、該挿入部の少なくとも１つの面を波形状とすることにより、スプリング効果と摩擦による抜け止め効果により該挿入部がスリット内に圧入され強固に係止される。
【００２０】
また、瓦用耐風金具の金具固定部が逆凹形状固定部からなる瓦桟木固定部よりなる場合は、逆凹形状固定部を瓦桟木に冠着して固定することができ、また、この場合に逆凹形状固定部を瓦桟木に圧着すれば釘やビスによる固定が不要で作業性は大巾に高められる。
【発明を実施するための最良の形態】
【００２１】
本発明の瓦用耐風金具は、瓦の瓦尻引掛部を係止するための係止部を備えたことを特徴とする。
【００２２】
このような係止部の好ましい態様の一つは、係止部が、瓦尻引掛部の厚さと略同等の連結部と該連結部の両側に立設した瓦尻引掛部の内側保持部と外側保持部とからなる凹形状係止部である。
【００２３】
このような凹形状係止部を用いて瓦の瓦尻引掛部を係止するには、凹形状係止部内に瓦尻引掛部を収納し、内側保持部と外側保持部とで瓦尻引掛部を圧持することによりなされる。従って、内側保持部の高さは瓦の裏面により制限されるが、外側保持部の高さは瓦尻引掛部の高さと略同等か、又は必要に応じ、少し高めに設計することもできる。
【００２４】
凹形状係止部は、瓦尻引掛部が圧持されるように、内側保持部及び外側保持部の立設角度が調節される。例えば、内側保持部及び外側保持部の立設角度を瓦尻引掛部の角度よりも少し鋭角又は鈍角とし、瓦尻引掛部が両保持部間に押圧された状態で保持されるように配慮されるのが好ましい。
【００２５】
この凹形状係止部の場合、主として瓦尻引掛部の内側角部が係止部の内側保持部により圧接することにより抜け出しが阻止されるので、内側保持部の表面を波形状としてスプリング効果と摩擦効果とにより瓦尻引掛部の抜け出し防止を図ることが好ましい。波形状としては、鋸歯状が好ましい。
【００２６】
また、凹形状係止部は内側保持部と外側保持部に大きな負荷が掛かるので、これら両保持部と連結部との境界付近や連結部を厚肉として負荷により破損しないように配慮することが好ましい。
【００２７】
上記凹形状係止部を備えた瓦用耐風金具は連結部を野地板等に釘、ビス等で固定されるが、内側保持部及び／又は外側保持部に金具固定部を連設してもよい。
【００２８】
また、瓦用耐風金具を瓦桟木に固定する場合は、瓦桟木の巾と略同等の連結部と該連結部の両側から垂設した挟着部とからなる逆凹形状固定部とすることが好ましい。
このような構造とすることにより、逆凹形状固定部を瓦桟木の上から冠着して固定することができ、この場合、両側の挟着部の巾を瓦桟木の巾よりも少し小さ目として瓦桟木に圧着することにより釘、ビス等による固定を省略することができ作業性が大巾に高められる。
【００２９】
この場合、少なくともいずれか１つの挟着部の内側、即ち、瓦桟木と接する側を波形状とすることにより、スプリング効果と摩擦による抜け止め効果が生じ、圧着が容易になるとともに圧着後は強固に固定される。挟着部の高さは瓦桟木の約１／３から略同じ高さのものが好ましく、上記よりも小さいと瓦桟木の挟着力が弱くなり、釘やビスによる固定が必要となる場合がある。
【００３０】
瓦尻引掛部の係止部は、上記した凹形状係止部とする場合の他に、瓦尻引掛部に設けたスリットに対する挿入部とすることも可能である。即ち、上記した凹形状係止部の外側保持部を挿入部として利用する。
この場合も、挿入部の片面又は両面を凹凸状としてスプリング効果と摩擦による抜け止め効果により挿入部をスリットに強固に圧入できるようにすることが好ましい。また、スリットの角度に対して挿入部の角度を少し鋭角又は鈍角として、挿入部がスリットの中で押圧された状態となるようにすることが好ましい。また、挿入部には大きな負荷が掛かるので、挿入部と連結部との境界付近や連結部を厚肉として破損しないように配慮することが好ましい。
【００３１】
本発明の瓦用耐風金具は、ステンレス、アルミ、亜鉛、メッキを施した鉄等の耐食性金属から作られるが、特にアルミを押出成形することにより容易に製造され、安価な瓦用耐風金具を提供することができる。本発明の瓦用耐風金具の長さは特に制限されないが、２５〜２００ｍｍ、好ましくは３０〜５０ｍｍ程度が取り扱い性の点で好都合である。
【実施例】
【００３２】
本発明の瓦用耐風金具は、屋根下地材（野地板等）又は瓦桟木に取り付けられる。屋根下地材と瓦との間には、必要に応じ、断熱材が敷設される。
【００３３】
以下、実施例を挙げて本発明を特に詳細に説明するが、本発明はかかる実施例のみに制限されないことは云うまでもない。
【００３４】
実施例１
本実施例の瓦用耐風金具１は、図１に示すように、瓦２１の瓦尻引掛部２２の厚さと略同等の連結部２と該連結部２の両側に立設した瓦尻引掛部２２の内側保持部３と外側保持部４とからなる凹形状係止部を備え、上記連結部２には、金具固定用の釘（又はビス）孔５を備えてなる。
瓦２１の瓦尻引掛部２２は内側保持部３と外側保持部け４との間に保持され、特に瓦尻引掛部２２の内側の角部２２ａが内側保持部３に圧接保持され、強風に対しても瓦２１の飛散が防止される。尚、図１では、説明の便宜のために、連結部２が少し大き目に記載されている。
【００３５】
実施例２
本実施例の瓦用耐風金具１は、図２に示すように、瓦尻引掛部２２の内側保持部３及び外側保持部４が、強度を大きくするために、連結部２に近づくにつれて肉厚とされている他は実施例１と同じである。尚、本実施例では瓦２１の瓦尻引掛部２２も先細状となっている例を示す。
【００３６】
実施例３
本実施例の瓦用耐風金具１は、図３に示すように、内側保持部３の内側、即ち、瓦尻引掛部２２と接する側に波形状部３ａを形成するとともに、内側保持部３の外側に釘（又はビス）孔５を有する金具固定部６が連設されている。瓦尻引掛部２２の内側角部２２ａが内側保持部３の波形状部３ａに当接するため、より効果的な抜け止め効果が発揮される。
【００３７】
実施例４
本実施例の瓦用耐風金具１は、図４（ａ）に示すように、外側保持部４の外側に、釘（又はビス）孔６を有する金具固定部６を連設し、瓦尻引掛部２２を連結部２に接触させた他は実施例２と同じである。
尚、瓦用耐風金具の連結部２の厚みによって瓦尻引掛部が浮き上がり不安定となる場合には、図４（ｂ）、（ｃ）に示すように、瓦尻引掛部２２に該連結部２の厚みと略同等の切り欠き部３１を設け、該切り欠き部３１内に該連結部２の厚みを吸収させることも可能である。
【００３８】
実施例５
本実施例の瓦用耐風金具１は、図５に示すように、瓦尻引掛部２２の厚さと略同等の連結部２と該連結部２の両側に立設した瓦尻引掛部２２の内側保持部３と外側保持部４とからなる凹形状係止部Ａに、金具固定部（瓦桟木固定部）Ｂが連設されている。
【００３９】
金具固定部Ｂは、瓦桟木２３の巾と略同等の連結部７と該連結部７の両側から下方に垂設した挟着部８ａ、８ｂとからなる逆凹形状固定部からなる。尚、挟着部８ｂは凹形状係止部Ａの内側保持部３と兼用されている。
【００４０】
本実施例の瓦用耐風金具１は金具固定部Ｂを瓦桟木２３の上方に冠着させることにより容易に取り付けることができ、釘やビスによる固定を省略することができる。釘やビスを使用する場合は、連結部７の上方から瓦桟木２３に打ち込めばよい。
この場合、挟着部８ａ、８ｂ間の巾を瓦桟木２３の巾よりも少し小さ目としておくことにより、挟着部８ａ、８ｂで瓦桟木２３を強固に圧着することができる。
【００４１】
実施例６
本実施例の瓦用耐風金具１は、実施例５の瓦用耐風金具において、瓦尻引掛部の凹形状係止部Ａの内側保持部３、外側保持部４と連結部２との角部に三角形状に厚肉部９を設けて角部の強度を大きくした他は実施例５と同じである。
【００４２】
実施例７
本実施例の瓦用耐風金具１は、実施例５の瓦用耐風金具において、瓦尻引掛部の凹形状係止部Ａの内側保持部３と外側保持部４を連結部２に近づく程肉厚にするとともに、連結部２も肉厚として強度を大きくし、更に金具固定部Ｂの挟着部８ａの内側、即ち、瓦桟木と接する側を波形状部１０としてスプリング効果及び摩擦による固定効果を大きくした他は実施例５と同じである。
【００４３】
実施例８
本実施例の瓦用耐風金具１は、実施例７の瓦用耐風金具において、金具固定部Ｂの挟着部８ａ、８ｂの内側、即ち、瓦桟木と接する側をともに波形状部１０としてスプリング効果及び摩擦による固定効果を更に大きくした他は実施例７と同じである。
【００４４】
実施例９
本実施例の瓦用耐風金具１は、実施例７の瓦用耐風金具において、瓦尻引掛部の凹形状係止部Ａの内側保持部３の内側、即ち、瓦尻引掛部と接する側を波形状部１１とし、スプリング効果及び摩擦による抜け止め効果を大きくした他は実施例７と同じである。
【００４５】
実施例１０
本実施例の瓦用耐風金具１は、実施例７の瓦用耐風金具において、瓦尻引掛部の外側保持部４の両側を波形状部１２とし、瓦尻引掛部に設けたスリットへの挿入部１３とした例である。
尚、実施例１〜９に示した瓦用耐風金具も、外側保持部４を挿入部１３として利用して、挿入部型係止部として使用可能できることは云うまでもない。
【００４６】
応用例１
図２に示した瓦用耐風金具を用いて瓦を固定する例を示す。
図１１に示すように、野地板２４上に敷設した防水シート２５上に、適宜間隔を置いて、瓦用耐風金具１を釘（又はビス）孔５より釘（又はビス）２６を差し込んで固定し、該金具１の内側保持部３と外側保持部４との間に瓦２１の瓦尻引掛部２２を嵌着し、係止する。
瓦用耐風金具１が極めて簡単な構造であるにも拘らず、瓦尻引掛部２２の内側角部２２ａが該金具１の内側保持部に圧接保持されることにより、矢示した如く、強風に対しても瓦２１の飛散が防止される。
【００４７】
応用例２
図１２に示すように、図４に示した瓦用耐風金具１を用い、金具固定部６の釘（又はビス）孔５に釘（又はビス）２６を差し込んで固定した他は応用例１と同じである。
【００４８】
応用例３
図７に示した瓦用耐風金具を瓦桟木に固定することにより瓦を固定する例を示す。
図１３に示すように、野地板２４上に敷設した防水シート２５上に、瓦桟木２３を配設し、釘（又はビス）２６で固定し、瓦桟木２３に瓦用耐風金具１の金具固定部（瓦桟木固定部）Ｂを瓦桟木２３が挟着部８ａ、８ｂで挟圧されるように冠着、固定する。続いて、該金具１の凹形状係止部Ｂに瓦尻引掛部２２を嵌着、係止する。
瓦用耐風金具１は金具固定部（瓦桟木固定部）Ｂを介して、釘やビスを用いることなく、瓦桟木２３に冠着、固定されるので、作業性が大巾に高められる。
【００４９】
応用例４
図７に示した瓦用耐風金具を瓦桟木に固定することにより瓦を固定し、断熱材を敷設する例を示す。
図１４に示すように、野地板２４上に敷設した防水シート２５上に、適宜間隔を置いて、断熱材固定部材２７を配置し、該固定部材２７の表面に立設した壁部２７ａ、２７ｂと底板部２８とで形成される凹状の瓦桟木受け部に瓦桟木２３を嵌設するとともに、壁部２７ａ、２７ｂの各外側と底板部２８とで形成されるＬ状の断熱材受け部に断熱材２９を挿設する。
【００５０】
続いて、瓦桟木２３の上部に瓦用耐風金具１の金具固定部（瓦桟木固定部）Ｂを冠着、固定し、瓦尻引掛部の凹形状係止部Ａに瓦２１の瓦尻引掛部２２ａを嵌着、係止する。
瓦用耐風金具１は釘やビスを使用することなく、金具固定部（瓦桟木固定部）Ｂを介して瓦桟木２３に冠着、固定されるとともに、瓦２１は同金具１の瓦尻引掛部の凹形状係止部Ａを介して係止され、作業性は極めて良好である。
【００５１】
応用例５
図１０を示した瓦用耐風金具を用いて瓦を固定し、断熱材を敷設する他の例を示す。
図１５に示すように、本応用例では、瓦用耐風金具１の外側保持部４を瓦尻引掛部２２に設けたスリット３０への挿入部１３として利用して、瓦２１を固定する例である。即ち、瓦２１の瓦尻引掛部２２の下面から上方に挿入部１３が挿入できるスリット３０を設け、挿入部１３が圧入されている。また、本例では瓦用耐風金具１の金具固定部（瓦桟木固定部）Ｂの連結部７から瓦桟木２３、防水シート２５及び野地板２４にかけて釘（又はビス）２６で止着されている。
【産業上の利用可能性】
【００５２】
叙上のとおり、本発明の瓦用耐風金具によれば、簡単な構造で、取付けが可能で、また瓦の取り替えや葺き替えも極めて容易である。また、金具固定部として、瓦桟木に固定するための逆凹形状固定部を連設することにより、釘やビスを用いることなく金具を瓦桟木に固定できるので、作業性は飛躍的に向上する。
【図面の簡単な説明】
【００５３】
【図１】本発明の実施例を示す断面図である。
【図２】本発明の実施例を示す断面図である。
【図３】本発明の実施例を示す断面図である。
【図４】本発明の実施例を示す断面図で、（ａ）は瓦尻引掛部を連結部に接触させた例、（ｂ）は瓦尻引掛部に設けた切り欠き部に連結部の厚みを吸収させた例、（ｃ）は（ｂ）のｘ−ｘ断面図である。
【図５】本発明の実施例を示す断面図である。
【図６】本発明の実施例を示す断面図である。
【図７】本発明の実施例を示す断面図である。
【図８】本発明の実施例を示す断面図である。
【図９】本発明の実施例を示す断面図である。
【図１０】本発明の実施例を示す断面図である。
【図１１】本発明の瓦用耐風金具を用いて瓦を固定する状態を示す説明図である。
【図１２】本発明の瓦用耐風金具を用いて瓦を固定する状態を示す説明図である。
【図１３】本発明の瓦用耐風金具を用いて瓦を固定する状態を示す説明図である。
【図１４】本発明の瓦用耐風金具を用いて瓦を固定する状態を示す説明図である。
【図１５】本発明の瓦用耐風金具を用いて瓦を固定する状態を示す説明図である。
【符号の説明】
【００５４】
１  瓦用耐風金具
２  連結部２
３  瓦尻引掛部の内側保持部
３ａ  波形状部
４  瓦尻引掛部の外側保持部
５  釘（又はビス）孔
６  金具固定部
７  連結部
８ａ、８ｂ  挟着部
９  肉厚部
１０、１１、１２  波形状部
１３  挿入部
Ａ  凹形状係止部
Ｂ  金具固定部（瓦桟木固定部）
２１  瓦
２２  瓦尻引掛部
２２ａ  瓦尻引掛部の内側角部
２３  瓦桟木
２４  野地板
２５  防水シート
２６  釘（又はビス）
２７  断熱材固定部材
２７ａ、２７ｂ  壁部
２８  底板部
２９  断熱材
３０  スリット
３１  切り欠き部
【図１】
2005325520.tif 000003
【図２】
2005325520.tif 000004
【図３】
2005325520.tif 000005
【図４】
2005325520.tif 000006
【図５】
2005325520.tif 000007
【図６】
2005325520.tif 000008
【図７】
2005325520.tif 000009
【図８】
2005325520.tif 000010
【図９】
2005325520.tif 000011
【図１０】
2005325520.tif 000012
【図１１】
2005325520.tif 000013
【図１２】
2005325520.tif 000014
【図１３】
2005325520.tif 000015
【図１４】
2005325520.tif 000016
【図１５】
2005325520.tif 000017